(57)【特許請求の範囲】
【請求項１】
内部に受け側コンタクトを設けてプラグ嵌合空間部を構成する受けシールドケースが嵌合面に突出されたレセプタクルと、内部にプラグコンタクトを設けて前記受けシールドケースの前記プラグ嵌合空間部に嵌合されるシールドケースが嵌合面に突出されたプラグとから構成され、前記レセプタクルに対して前記プラグが、前記受けシールドケースの前記プラグ嵌合空間部内に前記シールドケースを嵌合することにより前記受け側コンタクトと前記プラグコンタクトとが接続されるコネクタ装置において、
前記レセプタクルが、合成樹脂材によって成形した受けコンタクト保持体を有し、この受けコンタクト保持体の本体部から一体に突出形成した板状の受けコンタクト保持片部に対して略同一面を構成して前記受け側コンタクトをインサート成形により一体化するとともに、前記受けシールドケースが一体化された前記受け側コンタクトと前記コンタクト保持片部とを全長に亘って覆うようにして基端部を前記本体部に対してインサート成形により一体化して構成されるとともに、
前記プラグが、合成樹脂材によって成形したコンタクト保持体を有し、このコンタクト保持体の本体部に一体に突出形成され前記レセプタクルに嵌合した状態で前記受けコンタクト保持片部と対向されるコンタクト保持片部に対して略同一面を構成して前記プラグコンタクトをインサート成形により一体化するとともに、前記シールドケースが一体化された前記コンタクトと前記コンタクト保持片部とを全長に亘って覆うようにして基端部を前記本体部に対してインサート成形により一体化して構成される
ことを特徴とするコネクタ装置。
【請求項２】
前記レセプタクルの前記受けシールドケースが金属薄板材により全体矩形筒状に形成されるとともに、前記プラグの前記シールドケースが金属薄板材により前記受けシールドケースの開口寸法と略同等の外形寸法を有する全体矩形筒状に形成され、
前記レセプタクルに対して前記プラグが前記プラグ嵌合空間部内に前記シールドケースを嵌合した状態において、前記シールドケースが嵌合方向と直交する方向に弾性変形して弾性力を蓄勢し、この弾性力によって前記受け側コンタクトと前記プラグコンタクトとの接触状態を保持させることを特徴とする請求項１に記載のコネクタ装置。
【請求項３】
前記プラグの前記プラグコンタクト又は前記レセプタクルの前記受け側コンタクトのいずれか一方のコンタクトに、先端から所定の位置に相手側の相対するコンタクト面を摺擦するコンタクト凸部が形成され、
前記コンタクト凸部が形成されない前記プラグの前記プラグコンタクト又は前記レセプタクルの前記受け側コンタクトのいずれか一方のコンタクトに、先端から所定の位置にクリック凹部が形成され、
前記プラグが前記レセプタクルに対して所定位置まで押し込まれると、前記コンタクト凸部が前記クリック凹部に相対係合することによりクリック作用を奏することを特徴とする請求項１又は請求項２に記載のコネクタ装置。
【発明の詳細な説明】
【技術分野】
【０００１】
本発明は、レセプタクルにプラグを嵌合して機器間を電気的に接続して各種信号の授受等が行われるようにする小型のコネクタ装置に関する。
【背景技術】
【０００２】
コネクタ装置は、例えば電子機器の配線基板に搭載されたレセプタクルと、他の電子機器に接続されたプラグとから構成され、レセプタクルに対してプラグを嵌合することにより電子機器間を接続して制御信号やデータ等の授受或いは電源の供給等が行われるようにする。例えばパーソナルコンピュータにおいては、ディスプレィやキーボード或いはマウス等の周辺機器とが、制御信号やデータ等の授受とともに電源の供給も可能な小型のＵＳＢ（Universal Serial Bus）コネクタ装置により接続される。なお、ＵＳＢコネクタ装置は、上位側機器にシリーズＡコネクタ（プラグ）が用いられるとともに、下位側機器にシリーズＢプラグ（コネクタ）が用いられる。
【０００３】
上述した小型コネクタ装置としては、例えば特許文献１乃至特許文献５等に開示されている。小型コネクタ装置においては、レセプタクルとプラグの嵌合部に、それぞれコンタクトを覆う矩形筒状のシールドケースが設けられ、レセプタクル側の受けシールドケース内にプラグ側のシールドケースを嵌合することにより嵌合部において機械的保護や電磁的ノイズの混入防止を図るとともに確実かつ簡易な嵌合操作が行われるように構成される。
【０００４】
ところで、上述した特許文献１乃至特許文献４に開示された先願コネクタ装置においては、レセプタクル側に設けられる金属板ばね材によって形成される各コンタクトが、先端部をそれぞれ略へ字状に折曲してコンタクト部を形成している。先願コネクタ装置は、レセプタクルが、合成樹脂材により成形されたコンタクト保持体に対して各コンタクトを、それぞれのコンタクト部がプラグ嵌合空間部内に突出するようにして組み付けて構成する。先願コネクタ装置は、レセプタクルにプラグを嵌合すると、各コンタクトのコンタクト部がプラグ側の相対するコンタクトにより押し上げられて弾性変形する。先願コネクタ装置は、これによって各コンタクトに蓄勢された弾性力により、コンタクト部が相対するプラグ側のコンタクトとの接触状態を保持される。
【０００５】
先願コネクタ装置においては、レセプタクルとプラグとが、それぞれに設けられて嵌合部位における機械的保護や電磁的ノイズの混入防止を図るシールドケースを嵌合ガイド手段として嵌合が行われるように構成される。先願コネクタ装置においては、かかる構造によりレセプタクルに対するプラグの嵌合操作が確実かつ簡易に行われるようになる。先願コネクタ装置においては、レセプタクルとプラグとが、それぞれのコンタクトをシールドケースで覆うように構成したことから、外力による破損が防止されるとともに薄厚の金属材により形成することも可能となって全体の薄型化や小型化が図られるようになる。
【０００６】
特許文献５に開示された先願コネクタ装置は、レセプタクル側の各コンタクトを板状に形成するとともに、プラグ側の各コンタクトピンも板状に形成される。先願コネクタ装置は、各コンタクトピンがコンタクト保持部材に対して圧入されるが、コンタクト部を下方に向かって傾斜させて設ける。先願コネクタ装置においては、レセプタクルにプラグを嵌合することにより、各コンタクトピンが高さ方向に弾性変形しながらコンタクト部が相対するコンタクトに接触し、各コンタクトに蓄勢された弾性力により接触状態を保持される。かかる先願コネクタ装置は、板状のコンタクトピンを用いることで上述した各先願コネクタ装置と比較して薄型化が可能であり、また各コンタクトピンが相互のコンタクト部の高さが位置決めされることでプラグ側のコンタクトと安定した状態で接触することが可能である。
【特許文献１】特開２０００−２２３２１５公報
【特許文献２】特開２０００−２２３２１６公報
【特許文献３】特開２０００−２５１９６３公報
【特許文献４】特開２００４−１９３１４０公報
【特許文献５】特開２００５−７１８２４公報
【発明の開示】
【発明が解決しようとする課題】
【０００７】
出願人は、上述した特許文献５に開示された先願コネクタ装置の特徴を踏襲してさらに改良を図った図５及び図６に示した小型コネクタ装置１００を開発した。コネクタ装置１００は、図５及び図６に示すようにレセプタクル１０１と、このレセプタクル１０１に結合されるプラグ１０２とから構成される。レセプタクル１０１は、例えばパーソナルコンピュータ側に設けられ、その筐体に設けた接続開口に臨ませられるようにして配線基板１０３に搭載される。プラグ１０２は、一端側を周辺機器に接続されたケーブル１０４の他端側に設けられ、レセプタクル１０１と接続することによりパーソナルコンピュータと周辺機器との間で制御信号やデータの授受が行われるようにするとともに、パーソナルコンピュータ側から周辺機器側に電源の供給が行われるようにする。
【０００８】
レセプタクル１０１は、図５に示すように、合成樹脂材によって成形されたコンタクト保持体１０５と、このコンタクト保持体１０５にインサート成形された複数個のコンタクト１０６と、コンタクト保持体１０５に組み付けられたシールドケース１０７とから構成される。レセプタクル１０１は、コンタクト保持体１０５が、ブロック状に形成された本体部１０５ａと、その側面に一体に突出形成された板状のコンタクト保持片１０５ｂとから構成され、本体部１０５ａの底面に形成した位置決め凸部１０５ｃを図示しない位置決め孔に係合して配線基板１０３上に位置決めして実装される。
【０００９】
レセプタクル１０１は、各コンタクト１０６が、基端部側をコンタクト保持体１０５の本体部１０５ａに貫通させるとともに底面側へと折曲して配線基板１０３に形成された図示しない端子パターンに半田付けされる入出力端子部１０６ａを構成する。各コンタクト１０６は、コンタクト保持体１０５の本体部１０５ａを貫通された他端側が、上面をコンタクト保持片１０５ｂの主面と略同一面を構成して基端部から先端部に至る長さ方向に延在するように一体化されてコンタクト部１０６ｂを構成する。
【００１０】
レセプタクル１０１は、シールドケース１０７が、金属薄板により内部にコンタクト保持体１０５の本体部１０５ａの断面寸法とほぼ等しい開口寸法とされて後述するようにプラグ１０２が嵌合されるプラグ嵌合空間部１０７ａを構成した矩形の筒状に形成される。シールドケース１０７は、プラグ嵌合空間部１０７ａにコンタクト１０６を一体化したコンタクト保持片１０５ｂを嵌挿させるようにしてコンタクト保持体１０５の本体部１０５ａに組み付けられる。
【００１１】
シールドケース１０７には、図６に示すように天井面に略コ字状の切欠き溝１０７ｂが形成され、この切欠き溝１０７ｂにより切り残された舌片部をプラグ嵌合空間部１０７ａ内に突出させるように略へ字状に折曲してクリック片１０７ｃが一体に形成される。クリック片１０７ｃは、後述するようにプラグ１０２がプラグ嵌合空間部１０７ａに嵌合された状態で、このプラグ１０２に弾性力を作用させる。シールドケース１０７には、底面に複数個の位置決め凸部１０７ｄが一体に形成され、これら位置決め凸部１０７ｄを図示しない位置決め孔に係合するとともにアースパターンのランドに半田付けしてレセプタクル１０１が配線基板１０３上に位置決め固定されるようにする。
【００１２】
プラグ１０２は、詳細を省略するがシールドブッシュ１０８内においてケーブル１０４
と接続され、合成樹脂材によって成形されたコンタクト保持体１０９と、多数個のコンタクトピン１１０と、シールドケース１１１とから構成される。プラグ１０２は、詳細を省略するがコンタクト保持体１０９が、ブロック状の本体部１０９ａと、この本体部１０９ａから一体に突出されてシールドケース１１１を保持する保持筒部１０９ｂとから構成され、図示しないが本体部１０９ａに対して一端側を圧入により貫通させて各コンタクトピン１１０が取り付けられる。
【００１３】
コンタクト保持体１０９は、保持筒部１０９ｂが、上述したレセプタクル１０１側のシールドケース１０７よりも長軸でかつプラグ嵌合空間部１０７ａの開口寸法よりも小さい外形寸法に形成される。保持筒部１０９ｂには、その下方部位に先端から軸方向の所定位置に亘って軸方向のガイド開口部１０９ｃが形成されており、このガイド開口部１０９ｃを介して各コンタクトピン１１０のコンタクト部１１０ａを外方に臨ませる。保持筒部１０９ｂには、後述するようにプラグ１０２がレセプタクル１０１に嵌合された状態で、ガイド開口部１０９ｃにコンタクト保持体１０５が嵌合する。
【００１４】
各コンタクトピン１１０は、レセプタクル１０１側の各コンタクト１０６と対をなし、図示しないがコンタクト保持体１０９の本体部１０９ａを貫通した基端部がそれぞれケーブル１０４に封装された信号線に接続される。各コンタクトピン１１０は、所定の厚みを有しており、コンタクト部１１０ａの先端部にレセプタクル１０１側の各コンタクト１０６の上面を摺擦する凸部が形成されている。各コンタクトピン１１０は、コンタクト部１１０ａが保持筒部１０９ｂのガイド開口部１０９ｃから外方へと突出するように軸線に対して下方に向かって前下がりの状態でコンタクト保持体１０９に取り付けられている。
【００１５】
プラグ１０２は、シールドケース１１１が、金属薄板により矩形の筒状に形成され、レセプタクル１０１側のシールドケース１０７に対して長軸とされるとともにその開口寸法とほぼ同等の外形寸法に形成される。シールドケース１１１は、コンタクト保持体１０９の外形寸法とほぼ同等の開口寸法を有しており、コンタクト保持体１０９の外周部を被冠するようにして組み付けられる。シールドケース１１１には、上面に、レセプタクル１０１側のシールドケース１０７に形成した上述したクリック片１０７ｃが嵌入する矩形の開口部１１１ａが形成されている。
【００１６】
以上のように構成されたコネクタ装置１００は、レセプタクル１０１にプラグ１０２を嵌合してパーソナルコンピュータと周辺機器とを接続し、制御信号やデータの授受或いは電源供給を行う。コネクタ装置１００は、レセプタクル１０１のシールドケース１０７に形成されたプラグ嵌合空間部１０７ａ内にプラグ１０２のシールドケース１１１が押し込まれる。コネクタ装置１００は、クリック片１０７ｃが開口部１１１ａに嵌入することにより、図６（Ｂ）に示すようにレセプタクル１０１に対してプラグ１０２が嵌合状態を保持される。
【００１７】
コネクタ装置１００においては、レセプタクル１０１にプラグ１０２を嵌合すると、レセプタクル１０１側のコンタクト保持片１０５ｂがプラグ１０２側のコンタクト保持体１０９に形成したガイド開口部１０９ｃに嵌合した状態となる。コネクタ装置１００においては、この状態でレセプタクル１０１側のコンタクト保持片１０５と一体化された各コンタクト１０６が、プラグ１０２側のコンタクト保持体１０９に形成した保持筒部１０９ｂの内部に臨ませられる。
【００１８】
コネクタ装置１００においては、レセプタクル１０１にプラグ１０２が押し込まれるにしたがって、レセプタクル１０１側の各コンタクト１０６に対してプラグ１０２側の各コンタクトピン１１０がコンタクト部１１０ａを乗り上げさせて移動する。コネクタ装置１００においては、各コンタクトピン１１０がこの乗上り動作により厚み方向に弾性変位して弾性力を蓄勢することで、コンタクト部１１０ａが相対するコンタクト１０６のコンタクト部１０６ｂに押し付けられて接触状態が確実に保持される。
【００１９】
コネクタ装置１００においては、上述したようにレセプタクル１０１とプラグ１０２とが、それぞれに設けられて嵌合部位における機械的保護や電磁的ノイズの混入防止を図るシールドケース１０７、１１１を嵌合ガイド手段として嵌合が行われるように構成したことで、確実かつ簡易な嵌合操作が行われる。コネクタ装置１００においては、レセプタクル１０１とプラグ１０２とが、それぞれのコンタクト１０６とコンタクトピン１１０とをシールドケース１０７、１１１に覆うことから、外力による破損が防止されるとともに薄厚の金属材により形成することも可能となって全体の薄型化や小型化が図られるようになる。コネクタ装置１００においては、板状に形成したコンタクト１０６とコンタクトピン１１０とが備えられることにより、全体の薄型化や小型化が図られる。
【００２０】
ところで、コネクタ装置においては、電子機器の小型化、薄型化、多機能化に伴って、上述したコネクタ装置１００よりもさらなる小型化、薄型化が求められている。コネクタ装置１００においては、プラグ１０２側の板状のコンタクトピン１１０を弾性変位させてレセプタクル１０１側のコンタクト１０６と接触させる。したがって、コネクタ装置１００においては、コンタクト保持体１０９の保持筒部１０９ｂ内においてコンタクトピン１１０が弾性変位するスペースを必要とし、プラグ１０２の薄型化に限界があった。
【００２１】
また、コネクタ装置１００においては、コンタクトピン１１０が、プラグ１０２の嵌合操作に大きな負荷を与えずかつコンタクト１０６に対して安定した弾性力によって接触するようにするために、コンタクト保持体１０９からある程度の長さを以って突出される。したがって、コネクタ装置１００においては、プラグ１０２がある程度の長さを必要とすることで小型化に限界があった。
【００２２】
本発明は、さらなる小型・薄型化と組立工程の簡易化を図るとともに、コンタクト間の接触状態が確実に保持されるようにするコネクタ装置を提供することを目的に提案されたものである。
【課題を解決するための手段】
【００２３】
上述した目的を達成する本発明にかかるコネクタ装置は、内部に受け側コンタクトを設けてプラグ嵌合空間部を構成する受けシールドケースが嵌合面に突出されたレセプタクルと、内部にプラグコンタクトを設けて受けシールドケースのプラグ嵌合空間部内に嵌合されるシールドケースが嵌合面に突出して設けられたプラグとから構成され、レセプタクルに対してプラグが、受けシールドケースのプラグ嵌合空間部内にシールドケースを嵌合することにより受け側コンタクトとプラグコンタクトとが接続されて電子機器間を接続する。
【００２４】
コネクタ装置は、レセプタクルが、合成樹脂材によって成形した受けコンタクト保持体を有し、この受けコンタクト保持体の本体部から一体に突出形成した板状の受けコンタクト保持片部に対して略同一面を構成して受け側コンタクトをインサート成形により一体化するとともに、受けシールドケースが一体化された受け側コンタクトとコンタクト保持片部とを全長に亘って覆うようにして基端部を受けコンタクト保持体の本体部に対してインサート成形により一体化して構成される。コネクタ装置は、プラグが、合成樹脂材によって成形したコンタクト保持体を有し、このコンタクト保持体の本体部に一体に突出形成されレセプタクルに嵌合した状態で受けコンタクト保持片部と対向されるコンタクト保持片部に対して略同一面を構成してプラグコンタクトをインサート成形により一体化するとともに、シールドケースが一体化されたコンタクトとコンタクト保持片部とを全長に亘って覆うようにして基端部を本体部に対してインサート成形により一体化して構成される。
【００２５】
以上のように構成されるコネクタ装置においても、レセプタクルとプラグとが、受けシール
ドケースとシールドケースとにより嵌合操作時のガイド手段を構成することで、嵌合部位における機械的保護や電磁的ノイズの混入防止が図られるとともに確実かつ簡易な嵌合操作が行われる。コネクタ装置においても、レセプタクルとプラグとが、受けシールドケースとシールドケースとに覆われるようにして受け側コンタクトとプラグコンタクトとを設けたことから、これら受け側コンタクトとプラグコンタクトの外力による破損が防止されるとともに薄厚の金属材により形成することも可能となり薄型化や小型化が図られる。
【００２６】
コネクタ装置においては、レセプタクルが受けコンタクト保持体に受け側コンタクトと受けシールドケースとを一体化するとともに、プラグもコンタクト保持体にプラグコンタクトとシールドケースとを一体化することで、部品点数が削減されて組立工程の簡易化が図られるようになる。コネクタ装置においては、レセプタクル側の受け側コンタクトとプラグ側のプラグコンタクトとがそれぞれのコンタクト保持体に一体化された板状の部材とされることで、さらに薄厚の金属材により形成することが可能である。コネクタ装置においては、プラグコンタクトがコンタクト保持片部を介してシールドケースとともに弾性変位することで変位空間部が不要とされ、さらなる薄型化が図られる。コネクタ装置においては、プラグコンタクトがコンタクト保持片部に裏打ちされた構造とされることで、全長を短縮化しても充分な弾性力が蓄勢されてレセプタクル側の受け側コンタクトに対して安定した状態で接触するとともに嵌合操作時に大きな負荷を生じさせることも無い。
【００２７】
本発明にかかるコネクタ装置は、レセプタクルの受けシールドケースが金属薄板材により全体矩形筒状に形成されるとともに、プラグのシールドケースが金属薄板材により受けシールドケースの開口寸法と略同等の外形寸法を有する全体矩形筒状に形成される。コネクタ装置は、レセプタクルに対してプラグがプラグ嵌合空間部内にシールドケースを嵌合した状態において、受けシールドケースがシールドケースの嵌合方向と直交する方向に弾性変形して弾性力を蓄勢し、この弾性力によって受け側コンタクトとプラグコンタクトとの接触状態が保持される。
【００２８】
コネクタ装置においては、受けシールドケースとシールドケースとが、嵌合ガイドを構成するとともに受け側コンタクトとプラグコンタクトとの接触状態を保持させる弾性力を付与する弾性手段としても作用する。コネクタ装置においては、各コンタクトが弾性変位するスペースが不要となり、薄型化が図られるようになる。
【００２９】
本発明にかかるコネクタ装置は、プラグのプラグコンタクト又はレセプタクルの受け側コンタクトのいずれか一方のコンタクトに先端から所定の位置に相手側の相対するコンタクト面を摺擦するコンタクト凸部が形成され、このコンタクト凸部が形成されないプラグのプラグコンタクト又はレセプタクルの受け側コンタクトのいずれか一方のコンタクトに先端から所定の位置にクリック凹部が形成される。
【００３０】
コネクタ装置においては、プラグがレセプタクルに対して所定位置まで押し込まれると、コンタクト凸部がクリック凹部に相対係合することによりクリック作用が奏せられて正常な嵌合操作が行われたことが知覚されるようにする。コネクタ装置は、コンタクト凸部とクリック凹部とが係合することによってプラグのプラグコンタクトとレセプタクルの受け側コンタクトとの接続状態が確実に保持され、レセプタクルからのプラグの脱落が防止されるようにする。コネクタ装置は、レセプタクルの受けシールドケースやプラグのシールドケースに開口部位を形成することなく、これらの内部にクリック構造を設けたことによって薄型化が図られるとともに嵌合部を被覆するシールドケースによる電磁的ノイズの混入防止機能或いは防塵作用が確実に奏されるようになる。
【発明の効果】
【００３１】
以上のように構成された本発明にかかるコネクタ装置によれば、受けコンタクト保持体
に受け側コンタクトと受けシールドケースとを一体化したレセプタクルと、コンタクト保持体にプラグコンタクトとシールドケースとを一体化したプラグとによって構成したことで、部品点数が削減されて組立工程の簡易化が図られるようになる。コネクタ装置によれば、受け側コンタクトとプラグコンタクトとをそれぞれ受けコンタクト保持体とコンタクト保持体に裏打ちした構造であることから、これら受け側コンタクトとプラグコンタクトとを薄厚の金属材により単純な板状に形成することが可能となり、薄型化と部品コストの低減が図られるようになる。
【００３２】
コネクタ装置によれば、レセプタクルにプラグを嵌合することにより受けシールドケースとシールドケースとにおいて弾性力が蓄勢されるように構成したことから、コンタクトが弾性変位する高さ方向のスペースや長さが低減されて薄型化や小型化が図られる。コネクタ装置によれば、受け側コンタクトやプラグコンタクトが受けコンタクト保持体やコンタクト保持体に裏打ちされた構造であることから、大きな嵌合力を要せずにプラグの嵌合操作が可能であるとともに安定した弾性力が蓄勢されて受け側コンタクトとプラグコンタクトとの接触状態を確実に保持することが可能である。
【００３３】
コネクタ装置によれば、受けシールドケースやプラグのシールドケースに開口部位を形成することなくレセプタクルとプラグの内部にクリック手段が形成される。コネクタ装置によれば、レセプタクルに対してプラグが所定位置まで嵌合された状態の確認が確実に行われるようになり、また薄型化が図られるとともにシールドケースによる電磁的ノイズの混入防止機能或いは防塵作用が確実に奏されるようになる。
【発明を実施するための最良の形態】
【００３４】
以下、本発明の実施の形態として示すコネクタ装置１について図面を参照して詳細に説明する。コネクタ装置１は、上述したコネクタ装置１００に対してさらに小型、薄型化を図ったものであり、図１乃至図３に示すようにレセプタクル２と、このレセプタクル２に結合されるプラグ１０２とから構成される。レセプタクル２も、例えばパーソナルコンピュータ側に設けられ、その筐体に設けた接続開口に臨ませられるようにして詳細を省略する入出力ターミナル基板４等に搭載される。プラグ２は、一端側を周辺機器に接続されたケーブル５の他端側に設けられ、レセプタクル２と接続することによりパーソナルコンピュータと周辺機器との間で制御信号やデータの授受が行われるようにするとともに、パーソナルコンピュータ側から周辺機器側に電源の供給が行われるようにする。
【００３５】
レセプタクル２は、図１及び図２に示すように、絶縁合成樹脂材によって成形された受けコンタクト保持体６と、複数個の受け側コンタクト７と、受けシールドケース８とから構成され、受けコンタクト保持体６に対して、各受け側コンタクト７と受けシールドケース８とがインサート成形されることにより一体化されている。レセプタクル２は、受けコンタクト保持体６が矩形のブロック状に形成された本体部９と、その一方側面９ａに一体に突出形成された矩形板状の受けコンタクト保持片部１０とから構成され、本体部９の底面９ｂに適宜形成した位置決め凸部１１を図示しない位置決め孔に係合することにより入出力ターミナル基板４上に位置決めして実装される。
【００３６】
レセプタクル２は、各受け側コンタクト７が、基端部側を受けコンタクト保持体６の本体部９を側面９ａから相対する側面９ｃに貫通させるとともに底面９ｂ側へと折曲して入出力ターミナル基板４に形成された図示しない端子パターンに半田付けされる入出力端子部１２を構成する。各受け側コンタクト７は、他端側が受けコンタクト保持体６の本体部９の側面９ａを貫通されて受けコンタクト保持片部１０と一体化される。各受け側コンタクト７は、図２に示すように上面を受けコンタクト保持片部１０の主面と略同一面を構成するようにしてこの受けコンタクト保持片部１０の基端部から先端部に至る長さ方向の全長に亘って延在するように埋設されてコンタクト部１３を構成する。
【００３７】
各受け側コンタクト７には、コンタクト部１３に基端から所定の長さ位置において略Ｕ字状に折曲されてクリック凹部１４が形成されている。クリック凹部１４は、後述するようにプラグ３側に形成されたコンタクト凸部２６と共同してレセプタクル２に嵌合されるプラグ３の嵌合位置を規定するクリック作用を奏するとともに、プラグ３の脱落を防止する作用を奏する。
【００３８】
各受け側コンタクト７は、コンタクト部１３が幅方向に離間した状態で受けコンタクト保持片部１０に一体化されることにより、互いに絶縁された状態に保持される。各受け側コンタクト７は、コンタクト部１３が受けコンタクト保持片部１０により裏打ちされた構造であることから、上述したコネクタ装置１００よりもさらに薄厚の金属材を用いてコンタクト部１３を曲げ角度の管理等を不要とする単純な板状に形成することが可能であり、高精度と低コストで製作される。なお、各受け側コンタクト７は、コンタクト部１３に上述したようにクリック凹部１４が形成されるが、このクリック凹部１４が高精度に形成される必要は無い。
【００３９】
レセプタクル２は、受けシールドケース８が、金属薄板により内部に受けコンタクト保持体６の本体部９の断面寸法とほぼ等しい開口寸法を有して後述するようにプラグ３が嵌合されるプラグ嵌合空間部１５を構成した矩形の筒状に形成される。受けシールドケース８は、受けコンタクト保持体６の本体部９と受けコンタクト保持片部１０との長さよりもやや長軸に形成される。受けシールドケース８は、プラグ嵌合空間部１５内に、受け側コンタクト７のコンタクト部１３を一体化した受けコンタクト保持片部１０を、後述するようにプラグ３が嵌合されるプラグ嵌合空間部１５の一方の開口であるプラグ嵌合口１６に延在させて受けコンタクト保持体６の本体部９にインサート成形される。
【００４０】
レセプタクル２は、一体化された受けコンタクト保持体６と受けシールドケース８とが、図２に示すように受けコンタクト保持片部１０の底面１０ａと受けシールドケース８の底面部８ａの内面との間に全域に亘ってわずかな高さのガイド空間部１７を構成する。レセプタクル２は、このガイド空間部１７が、後述するようにプラグ３のシールドケース２２の底面部２２ｂが嵌合してスライドする空間部を構成する。
【００４１】
受けシールドケース８には、図２に示すように底面部８ａに複数個の位置決め凸部１８が一体に形成され、これら位置決め凸部１８を図示しない位置決め孔に係合するとともにダミーランドに半田付けすることによって、レセプタクル２が入出力ターミナル基板４上に位置決めして固定されるようにする。なお、ダミーランドは、いずれか１個が入出力ターミナル基板４に形成したアースパターンのランドであればよい。
【００４２】
以上のように構成されたレセプタクル２に対してプラグ３が着脱される。プラグ３も、詳細を省略するがシールドブッシュ１９内において、他端部にレセプタクル或いはプラグが設けられたケーブル５と接続される。プラグ３も、図１及び図３に示すように絶縁合成樹脂材によって成形されたコンタクト保持体２０と、複数個のプラグコンタクト２１と、シールドケース２２とから構成され、コンタクト保持体２０に対して、各プラグコンタクト２１とシールドケース２２とがインサート成形されることにより一体化されている。
【００４３】
プラグ３は、コンタクト保持体２０が、詳細を省略するがブロック状に形成された本体部２３と、その一方側面に一体に突出形成された矩形板状のコンタクト保持片部２４とから構成される。コンタクト保持体２０は、コンタクト保持片部２４が、上述したレセプタクル２側の受けシールドケース８よりもやや長軸でありかつプラグ嵌合空間部１５の開口寸法よりも小さな断面寸法に形成される。
【００４４】
プラグ３は、各プラグコンタクト２１が、レセプタクル２側の各受け側コンタクト７と対をなし、図示しないが本体部２３を貫通するようにしてコンタクト保持体２０にインサート成形されることにより一体化される。各プラグコンタクト２１は、詳細を省略するが本体部２３を貫通した基端部がそれぞれケーブル５に封装された信号線に接続される。各プラグコンタクト２１は、図３に示すように底面をコンタクト保持片部２４の主面と略同一面を構成するようにしてこのコンタクト保持片部２４の基端部から先端部に至る長さ方向の全長に亘って延在するように埋設されてコンタクト部２５を構成する。
【００４５】
各プラグコンタクト２１には、コンタクト部２５に基端から所定の長さ位置において略Ｕ字状に折曲されてコンタクト凸部２６が形成されている。コンタクト凸部２６は、プラグ３がレセプタクル２に嵌合される際に、受け側コンタクト７のコンタクト部１３上を摺擦する。コンタクト凸部２６は、受け側コンタクト７のコンタクト部１３に直接接触してコンタクト部を構成するが、上述したクリック凹部１４と共同してクリック作用も奏する。コンタクト凸部２６は、クリック凹部１４に相対係合することによりレセプタクル２に対してプラグ３が所定位置まで嵌合されたことを感じさせるクリック作用を奏し、またレセプタクル２からの脱落が防止されるようにする。
【００４６】
各プラグコンタクト２１は、コンタクト部２５が幅方向に離間した状態でコンタクト保持片部２４に一体化されることにより、互いに絶縁された状態に保持される。各プラグコンタクト２１も、コンタクト部２５がコンタクト保持片部２４により裏打ちされた構造であることから、レセプタクル２側の受け側コンタクト７と同様に上述したコネクタ装置１００よりもさらに薄厚の金属材を用いてコンタクト部２５を曲げ角度の管理等を不要とする単純な板状に形成することが可能であり、高精度と低コストで製作される。なお、各プラグコンタクト２１も、コンタクト部２５に上述したようにコンタクト凸部２６が形成されるが、このコンタクト凸部２６が高精度に形成される必要は無い。
【００４７】
プラグ３は、シールドケース２２が、金属薄板により矩形の筒状に形成され、レセプタクル２側の受けシールドケース８よりもやや長軸とされるとともにそのプラグ嵌合空間部１５の開口寸法とほぼ同等の外形寸法に形成される。シールドケース２２は、図示を省略するが基端部をコンタクト保持体２０の本体部２３に埋設するとともに、上面部２２ａを本体部２３から突設したコンタクト保持片部２４に対してその上面に全長に亘って一体化される。シールドケース２２は、図３に示すように上面部２２ａとプラグコンタクト２１のコンタクト部２５とによりコンタクト保持片部２４を挟み込むようにしてコンタクト保持体２０にインサート成形される。シールドケース２２は、図示しないが基端部にアース接続部が一体に形成されており、このアース接続部をケーブル５のアース線と接続する。
【００４８】
シールドケース２２は、上面部２２ａの内面にコンタクト保持片部２４を介して一体化された各プラグコンタクト２１のコンタクト凸部２６と底面部２２ｂとの間隔が、上述したレセプタクル２側の一体化された受け側コンタクト７と受けコンタクト保持片部１０との厚みよりもやや小さく形成される。シールドケース２２は、底面部２２ｂが上述したようにレセプタクル２側のガイド空間部１７の高さとほぼ等しい厚みに形成されている。
【００４９】
したがって、プラグ３は、シールドケース２２の上面部２２ａの内面に、絶縁体のコンタクト保持片部２４を介して全長に亘って各プラグコンタクト２１のコンタクト部２５が互いに絶縁を保持されて一体化されている。プラグ３は、シールドケース２２が金属薄板により筒状に形成されており、またコンタクト保持片部２４やコンタクト部２５も薄厚に形成されている。プラグ３は、かかる構成によりシールドケース２２が、上面部２２ａや底面部２２ｂを押圧するとある程度弾性変位することが可能であり、この弾性変位により弾性力が蓄勢されるようになる。
【００５０】
以上のように構成されたコネクタ装置１は、図４（Ａ）に示すようにレセプタクル２に対してプラグ３が、プラグ嵌合口１６にシールドケース２２の先端部を対向させ、プラグ嵌合空間部１５内に押し込まれる。コネクタ装置１は、レセプタクル２にプラグ３を嵌合して結合することにより、パーソナルコンピュータと周辺機器とを接続して制御信号やデータの授受或いは電源供給を行う。
【００５１】
コネクタ装置１においては、プラグ３が、シールドケース２２の外周部をプラグ嵌合空間部１５を構成する受けシールドケース８の外周部に保持されて安定した姿勢で内部へと押し込まれる。コネクタ装置１においては、レセプタクル２に対してプラグ３が所定位置まで押し込まれると、コンタクト２１に形成したコンタクト凸部２６が受けコンタクト保持片部１０に一体化された受け側コンタクト７に突き当たる。なお、コネクタ装置１においては、シールドケース２２の底面部２２ｂがガイド空間部１７に嵌合することによって、プラグ３が全周に亘って安定した状態でプラグ嵌合空間部１５内を移動する。
【００５２】
コネクタ装置１においては、シールドケース２２が撓むことによりコンタクト凸部２６が受け側コンタクト７の上面に乗り上がり、シールドケース２２に弾性力が蓄勢される。コネクタ装置１においては、シールドケース２２の弾性力によってコンタクト凸部２６が受け側コンタクト７との接触状態を保持された状態で摺擦しながら移動する。コネクタ装置１においては、コンタクト凸部２６がクリック凹部１４と対向する位置まで移動するとシールドケース２２から作用される弾性力により相対係合することで、クリック作用が奏せられて正常な嵌合操作が行われたことが知覚されるようにする。コネクタ装置１は、図４（Ｂ）に示すようにレセプタクル２に対してプラグ３が確実に結合される。
【００５３】
コネクタ装置１においては、上述したようにプラグ３のプラグコンタクト２１がコンタクト保持体２０のコンタクト保持片部２４を介してシールドケース２２と一体化されて弾性変位することでシールドケース２２内において変位空間部が不要とされさらなる薄型化が図られる。また、コネクタ装置１においては、プラグ３のプラグコンタクト２１がコンタクト保持体２０のコンタクト保持片部２４に裏打ちされた構造とされることで、全長を短縮化しても充分な弾性力が蓄勢されてレセプタクル２の受け側コンタクト７に対して安定した状態で接触するとともに嵌合操作時に大きな負荷を生じさせることも無い。
【００５４】
コネクタ装置１においては、シールドケース２２の弾性力によりコンタクト凸部２６とクリック凹部１４との係合状態が保持されることで、プラグ３のプラグコンタクト２１とレセプタクル２の受け側コンタクト７との接続状態が確実に保持されるとともにレセプタクル２からのプラグ３の脱落が防止されるようにする。コネクタ装置１においては、上述した構造によりレセプタクル２の受けシールドケース８やプラグ３のシールドケース２２にクリック構造を構成する開口部位が形成されない。コネクタ装置１においては、レセプタクル２とプラグ３の内部にクリック構造を設けたことにより、薄型化が図られるとともに嵌合部位を被覆する受けシールドケース８とシールドケース２２とによる電磁的ノイズの混入防止機能或いは防塵作用が確実に奏されるようになる。
【００５５】
コネクタ装置１においては、シールドブッシュ１９を把持してレセプタクル２に対してプラグ３を強く引き抜くことにより、クリック凹部１４とコンタクト凸部２６との係合状態が解除される。コネクタ装置１においては、さらにプラグ３を引くことによりレセプタクル２からの取り外しが行われる。
【００５６】
なお、コネクタ装置１は、パーソナルコンピュータと周辺機器との接続用ばかりでなく各種の電子機器間における接続用に用いられることは勿論である。コネクタ装置１においては、レセプタクル２側の受け側コンタクト７にクリック凹部１４を形成するとともにプラグ３のプラグコンタクト２１にコンタクト凸部２６を形成したが、受け側コンタクト７側に
コンタクト凸部２６を形成しかつプラグ３側にクリック凹部１４を形成するようにしてもよい。
【００５７】
上記本発明は、本発明の精神を逸脱しない限り種々の改変をなすことが出来、そして、本発明が改変されたものに及ぶ事は当然である。
【図面の簡単な説明】
【００５８】
【図１】本発明の実施の形態として示すコネクタ装置の要部断面図である。
【図２】同コネクタ装置のレセプタクルの断面図である。
【図３】同コネクタ装置のプラグの要部断面図である。
【図４】同コネクタ装置についてレセプタクルとプラグとの結合操作の説明図であり、同図（Ａ）は結合前、同図（Ｂ）は結合後を示す。
【図５】本発明の前提となるコネクタ装置の要部断面図である。
【図６】同コネクタ装置についてレセプタクルとプラグとの結合操作の説明図であり、同図（Ａ）は結合前、同図（Ｂ）は結合後を示す。
【符号の説明】
【００５９】
１        コネクタ装置
２        レセプタクル
３        プラグ
４        入出力ターミナル基板
５        ケーブル
６        受けコンタクト保持体
７        受け側コンタクト
８        受けシールドケース
９        本体部
１０      受けコンタクト保持片部
１３      コンタクト部
１４      クリック凹部
１５      プラグ嵌合空間部
１６      プラグ嵌合口
１７      ガイド空間部
２０      コンタクト保持体
２１      プラグコンタクト
２２      シールドケース
２３      本体部
２４      コンタクト保持片部
２５      コンタクト部
２６      コンタクト凸部
【図１】
0004655275.tif 000002
【図２】
0004655275.tif 000003
【図３】
0004655275.tif 000004
【図４】
0004655275.tif 000005
【図５】
0004655275.tif 000006
【図６】
0004655275.tif 000007